【事件の表示】
　平成　８年特許願第１０５３７０号「カラー陰極線管」拒絶査定不服審判事件〔平成　９年　１月２８日出願公開、特開平　９−　２７２８４〕について、次のとおり審決する。
【結　論】
　本件審判の請求は、成り立たない。
【理　由】
１．手続の経緯
　本件は、平成７年５月１０日に出願された平成７年特許願第１１２０６９号に基づく優先権を主張して平成８年４月２５日にされた出願（平成８年特許願第１０５３７０号）につき、平成１５年２月６日付けで拒絶査定がなされ、これに対し、同年３月１４日に審判請求がなされるとともに、同年４月１４日に手続補正書が提出されたものである。
　
２．平成１５年４月１４日付け手続補正についての補正却下の決定
[補正却下の決定の結論]
　平成１５年４月１４日付け手続補正を却下する。
　
[理由]
（１）平成１５年４月１４日付け手続補正（以下、「本件補正」という。）の内容
　本件補正は、特許請求の範囲の請求項１及び３を削除し、その請求項２，４，５及び６の番号を繰上げるとともに、以下のように補正することを含むものである。
ア　本件補正前の請求項２
「外面および内面を有するフェースプレートと、上記フェースプレートに接合されているとともにネックを有するファンネルと、を備えた外囲器と、
　上記フェースプレートの内面に設けられているとともに、所定のパターンに配置された赤、緑、青の３色の蛍光体層を有する蛍光体スクリーンと、
　上記ネック内に設けられ、上記蛍光体スクリーンに電子ビームを照射して発光させる電子銃と、
　上記フェースプレートの内面と蛍光体スクリーンとの間に設けられているとともに、上記蛍光体スクリーンの３色の蛍光体層にそれぞれ対向して配置され各色の蛍光体層に対応した色の３色のフィルタを有するカラーフィルタ層であって、各色のフィルタは、平均粒径が０．０００１〜０．０７μｍの顔料で形成され対応する色の蛍光体層からの発光の内、最大発光スペクトル波長の±２０ｎｍの範囲の波長の光に対する透過率が、波長４００ないし６５０ｎｍの光で上記範囲以外の波長の光に対する透過率に比較して高く形成されているカラーフィルタ層と、
　上記フェースプレートの外面上に上記カラーフィルタ層と対向して設けられ、上記３色の蛍光体層の最大発光スペクトル波長の±２０ｎｍの範囲以外の所定波長帯域に最大吸収を有し、上記カラーフィルタの光吸収性を補完する各色共通の外面フィルタと、を備えていることを特徴とするカラー陰極線管。」
　
イ　本件補正後の請求項１
「外面および内面を有するフェースプレートと、上記フェースプレートに接合されているとともにネックを有するファンネルと、を備えた外囲器と、
　上記フェースプレートの内面に設けられているとともに、所定のパターンに配置された赤、緑、青の３色の蛍光体層を有する蛍光体スクリーンと、
　上記ネック内に設けられ、上記蛍光体スクリーンに電子ビームを照射して発光させる電子銃と、
　上記フェースプレートの内面と蛍光体スクリーンとの間に設けられているとともに、上記蛍光体スクリーンの３色の蛍光体層にそれぞれ対向して配置され各色の蛍光体層に対応した色の３色のフィルタを有するカラーフィルタ層であって、各色のフィルタは、平均粒径が０．０００１〜０．０７μｍの無機顔料で形成され、対応する色の蛍光体層からの発光の内、最大発光スペクトル波長の±２０ｎｍの範囲の波長の光に対する透過率が、波長４００ないし６５０ｎｍの光で上記範囲以外の波長の光に対する透過率に比較して高く形成されているカラーフィルタ層と、
上記フェースプレートの外面上に、カラーフィルタ層と対向して設けられているとともに有機顔料あるいは染料により形成され、上記３色の蛍光体層の最大発光スペクトル波長の±２０ｎｍの範囲以外の所定波長帯域に最大吸収を有し、上記カラーフィルタの光吸収性を補完する各色共通の外面フィルタと、
　を備えていることを特徴とするカラー陰極線管。」
　
（２）本件補正の適否について
　本件補正は、発明を特定するために必要な事項である「フィルタ」の「顔料」について「無機」との限定を付加し、また、「各色共通の外面フィルタ」について「有機顔料あるいは染料により形成され」との限定を付加するものであって、特許法第１７条の２第４項第２号の特許請求の範囲の減縮を目的とするものに該当する。
　そこで、本件補正後の請求項１に係る発明（以下、「本願補正発明１」という。）が特許出願の際に独立して特許を受けることができるものであるかについて以下に検討する。
　
ア　引用例
　原査定の拒絶理由に引用した特開平４−３４５７３７号公報（以下、「引用例」という。）には、図面とともに次の記載がある。
・「【０００５】図５は上記した帯電防止処理型の機能膜付カラー陰極線管の帯電防止の原理を説明する図であり、同図において（６）はネック部で、電子銃（図系を省略）を内蔵している。（７）は偏向ヨーク、（１３）はファンネル部、（４）はフェース・プレート部、（５）は高圧ボタンで、上記偏向ヨーク（７）はリード線（７ａ）を介して偏向電源に、かつ電子銃はリード線（６ａ）を介して駆動電源に、又、高圧ボタン（５）はリード線（５ａ）を介して高圧電源にそれぞれ接続されている。上記構成のカラー陰極線管においてネック部（６）に内蔵した電子銃から発した電子線を偏向ヨーク（７）によりカラー陰極線管の外部から電磁的に偏向する一方、高圧ボタン（５）を介してフェース・プレート部（４）の内面に設けられた蛍光面に高圧を印加する。これにより、上記電子線を加速してそのエネルギーにより蛍光面を励起発光して光出力を取り出す。」
・「【００１４】即ち従来の帯電防止処理型の機能膜（１）を得るための塗液をベース塗料としてこの中に無機系又は有機系の顔料又は染料粒子を混合して着色した光選択吸収塗液を作り従来と同様のスピンコート法等によりカラー陰極線管のフェース・プレート部（４）外表面に塗布・成膜して帯電防止機能と光選択吸収機能を併せ持った帯電防止・光選択吸収型の機能膜付カラー陰極線管ができあがる。
【００１５】図８はこのような帯電防止・光選択吸収型の機能膜（１）を説明するための蛍光面の拡大断面概念図である。多孔質のシリカ（ＳｉＯ２）系の膜（１９）の中に従来の導電性フィラー粒子（１７）に加えて無機系又は有機系の顔料又は染料粒子（１８）が分散混合されている。
【００１６】図１１はこのような帯電防止・光選択吸収型の機能膜（１）の光学特性を説明するための図である。図中（Ｂ）はカラー陰極線管の蛍光面の青色発光の相対発光強度のスペクトル分布を示し約４５０ｎｍに主スペクトル波長を有する。同様に（Ｇ），（Ｒ）は各々緑色発光及び赤色発光の相対発光強度のスペクトル分布を示し、各々５３５ｎｍ及び６２５ｎｍに主スペクトル波長を有する。」
・「【００１８】図中（Ｉ）は更にコントラスト性能をあげるために前述した如くフェース・プレート部（４）の外表面に形成された帯電防止・光選択吸収型の機能膜（１）の分光透過率分布の一例を示す。（Ｇ），（Ｒ）の相対発光強度のスペクトル分布の主スペクトル波長間の５８５ｎｍに主吸収ピーク（Ｋ）を有する。又（Ｂ），（Ｇ）の相対発光強度のスペクトル分布の主スペクトル波長間の４９５ｎｍ，及び（Ｂ）の相対発光強度のスペクトル分布の主スペクトル波長の短波長側の４１０ｎｍに（Ｌ），（Ｍ）の副吸収ピークを有する。
【００１９】主吸収ピーク（Ｋ）は人間の目の視感度の比較的高い領域と一致するので、外光（白色光）成分の内この領域の光が吸収、除去されるとコントラスト性能上好ましい。副吸収ピーク（Ｌ），（Ｍ）はコントラスト性能向上の効果も若干あるが、むしろ蛍光面の体色調整効果の方が大きい。即ち主吸収ピーク（Ｋ）のみを設けると外光（白色光）成分の内黄色成分のみが除去されて蛍光面の体色が青紫になってしまう。蛍光面の体色はカラー・テレビジョンの画質の点からは無彩色が好ましく、青紫になると純粋な黒の表現ができなくなり好ましくない。この２つの副吸収ピーク（Ｌ），（Ｍ）により体色をうまくバランスさせて無彩色化することが可能となる。」
・「【００４９】【作用】従来フェース・プレート部の外表面に設けた機能膜にもたせていた諸機能の内、帯電防止機能と低反射機能についてはその特性上その場所しか機能を発揮できないものであり他の場所へは動かしがたいが、光選択吸収機能については、フェース・プレート部の外表面に必ずしもこだわる必要は無く、同等の光学特性を持った光選択吸収層をフェース・プレート部の内面とその内面に形成された３色蛍光体層との間に設けることによりフェース・プレート部の外表面に設けた場合と同等の光学的効果を得ることが可能である。」
　また、図８には、フェース・プレート部（４）の外表面に帯電防止・光選択吸収型の機能膜（１）を設け、フェース・プレート部（４）内面にはＢＧＲ蛍光体層（１５）を設ける点について記載されている（【００３１】，【００４０】参照）。
　そして、図１１の（Ｉ）から、帯電防止・光選択吸収型の機能膜（１）は、５８５ｎｍに主吸収ピーク（Ｋ）、４９５ｎｍ及び４１０ｎｍに（Ｌ），（Ｍ）の副吸収ピークを有し、これらの主副吸収ピークは、赤、緑、青の各色発光の相対強度が最大を示す波長、それぞれ６２５ｎｍ、５３５ｎｍ、４５０ｎｍを中心とした、±２０ｎｍの範囲以外の波長帯域に存在していることが明らかである（【００１６】，【００１８】参照）。
　これらの記載を参照すると、引用例には次の発明が記載されている（以下、「引用例発明」という。）ものと認められる。
「外表面および内面を有するフェース・プレート部（４）と、
上記フェース・プレート部（４）に接合されているとともにネック部（６）を有するファンネル部（１３）とを備え、
上記フェース・プレート部（４）の内面に設けられたＢＧＲ蛍光体層（１５）と、上記ネック部（６）に内蔵され、上記ＢＧＲ蛍光体層（１５）に電子ビームを照射して発光させる電子銃と、
　上記フェース・プレート部の外表面上に、有機系の顔料あるいは染料により形成された上記ＢＧＲ蛍光体層（１５）の蛍光体層の最大発光スペクトル波長の±２０ｎｍの範囲以外の所定波長帯域に最大吸収を有する帯電防止・光選択吸収型の機能膜（１）と、を備えていることを特徴とするカラー陰極線管」
　
イ　対比
　本願補正発明１と上記引用例発明とを比較する。
　引用例発明の「外表面」、「フェース・プレート部（４）」、「ネック部（６）」、「ファンネル部（１３）」及び「有機系の顔料あるいは染料」は、本願補正発明１の「外面」、「フェースプレート」、「ネック」、「ファンネル」及び「有機顔料あるいは染料」に相当する。
　また、引用例発明の「フェース・プレート部（４）」と「ネック部（６）」と「ファンネル部（１３）」は、本願補正発明１の「外囲器」に相当する。
　そして、引用例発明の「ＢＧＲ蛍光体層（１５）」は、電子線をＢ（青），Ｇ（緑），Ｒ（赤）の蛍光体に照射することにより青，緑，赤の蛍光を発光させ、その蛍光の組み合わせによりカラー画像を表示するためのものであるから、本願補正発明１の「所定のパターンに配置された赤、緑、青の３色の蛍光体層を有する蛍光体スクリーン」に相当する。
　さらに、引用例発明の「帯電防止・光選択吸収型の機能膜（１）」は、その主吸収ピーク（Ｋ）が人間の目の視感度の比較的高い領域と一致し、外光成分の内この領域の光を吸収除去する機能を有し、この機能は、赤、緑、青の各色の発光に対し共通して特定波長の光吸収効果をもたらすものであるから、本願補正発明１の「各色共通の外面フィルタ」に相当するとともに、この「帯電防止・光選択吸収型の機能膜（１）」は、このような光吸収効果をもたらす特定波長が波長４００ないし６５０ｎｍに存在し、この特定波長における透過率が、赤、緑、青の各色発光の相対強度が最大を示す波長を中心とした、±２０ｎｍの範囲における透過率よりも低いので、本願補正発明１の「カラーフィルタ層」と同じ機能も有する。
　したがって、両者は、
「外面および内面を有するフェースプレートと、上記フェースプレートに接合されているとともにネックを有するファンネルと、を備えた外囲器と、
　上記フェースプレートの内面に設けられているとともに、所定のパターンに配置された赤、緑、青の３色の蛍光体層を有する蛍光体スクリーンと、
　上記ネック内に設けられ、上記蛍光体スクリーンに電子ビームを照射して発光させる電子銃と、
　上記フェースプレートの外面上に設けられているとともに有機顔料あるいは染料により形成され、上記３色の蛍光体層の最大発光スペクトル波長の±２０ｎｍの範囲以外の所定波長帯域に最大吸収を有する各色共通の外面フィルタと、を備えていることを特徴とするカラー陰極線管」という点で一致し、次の点で相違する。
　
[相違点]
　本願補正発明１では、「フェースプレートの内面と蛍光体スクリーンとの間に設けられているとともに、上記蛍光体スクリーンの３色の蛍光体層にそれぞれ対向して配置され各色の蛍光体層に対応した色の３色のフィルタを有するカラーフィルタ層であって、各色のフィルタは、平均粒径が０．０００１〜０．０７μｍの無機顔料で形成され、対応する色の蛍光体層からの発光の内、最大発光スペクトル波長の±２０ｎｍの範囲の波長の光に対する透過率が、波長４００ないし６５０ｎｍの光で上記範囲以外の波長の光に対する透過率に比較して高く形成されているカラーフィルタ層」を備え、該カラーフィルタ層の光吸収性を補完するために各色共通の外面フィルタが該カラーフィルタ層と対向して設けられているのに対し、引用例発明では、この点が明示されていない点。
　
ウ　判断
　カラー陰極線管において、フェースプレートの内面と蛍光体スクリーンとの間に該蛍光体スクリーンの３色の蛍光体層にそれぞれ対向して各色の蛍光体層に対応した色の３色のフィルタを有するカラーフィルタ層を配置することは、例えば、特公平３−３３２４３号公報（以下、「周知例１」という。）、特公平４−６６８２４号公報（以下、「周知例２」という。）、特公平４−６６８２５号公報（以下、「周知例３」という。）、特開昭６４−７４５７号公報（以下、「周知例４」という。）に記載されているように周知技術である。
　また、周知例１の第１−３図及び周知例２の「第７図、第８図、第９図とを比較すると・・・緑色波長領域（５００〜５７０ｎｍ）のものが大きくなつており、緑色フイルターの透過率と緑色以外の波長領域の透過率の差が大きく、かつ、赤色波長領域（６００〜７００ｎｍ）のものが小さくなり、緑色フイルターとしての性能が向上する」（第１５欄第１−８行）、周知例３の「第８図ないし第１２図に示す通りであり、何れも青色領域４００〜４９０ｎｍの波長の光透過率が第１３図の従来例（特開昭５９−３６２８０号）より高く、青色以外の領域の波長の光透過率は従来例（第１３図）より低くなつており、青色フイルターとしての性能はすぐれている。」（第１５欄第６−１２行）との記載から、カラーフィルタ層を、赤、緑、青の蛍光体の最大発光スペクトル波長を中心として、少なくとも±２０ｎｍの範囲の波長の光に対する透過率が、波長４００ないし６５０ｎｍの光で上記範囲以外の波長の光に対する透過率に比較して高くなるようにすることも周知である。
　さらに、周知例１には、「冒頭に述べたような従来の周囲光反射防止によるコントラスト増大方法をつぎに述べるようにして併用すれば、コントラスト増大の効果を一層顕著にすることができる。すなわち従来のカラー陰極線管表示装置におけると同様に、本発明を適用した表示装置における前面ガラス板にＮｄ２Ｏ３などの希土類元素を添加すれば、表示素子の発光強度が低い部分における本発明による色フイルタの作用効果を増大させることができる。」（第１７欄第１２−２１行）との記載があり、この記載は、Ｎｄ２Ｏ３のような特定波長を吸収する材料を前面ガラス板に添加することにより、色フィルタで吸収しきれない波長を補完的に酸化ネオジウムで吸収させることを意味するから、所定波長帯域の光を選択的に吸収する機能を、複数の部材にそれぞれ分担させることは周知であるといえる。
そして、平均粒径が０．０００１〜０．０７μｍの無機顔料でカラーフィルタを構成することも、周知例４に記載されているように、周知技術である。
　してみれば、引用例発明のカラー陰極線管において、各色共通の外面フィルタに対向するように、フェースプレートと蛍光体スクリーンとの間に上記周知のカラーフィルタ層を設け上記相違点のように構成することは、当業者が容易になし得ることである。
　
　そして、引用例発明の各色共通の外面フィルタが人間の目にとって感じやすい所定波長帯域の光を選択的に吸収し、上記周知のカラーフィルタが各色の蛍光体層からの発光の内最大発光スペクトル波長の±２０ｎｍの範囲の波長を選択的に透過させることから、本願補正発明１のフェースプレート自体の光吸収に依存することなく表示画面のコントラスト特性の向上と輝度の向上を両立し、かつ、各色の表示色の色純度を向上させるという作用効果も、引用例発明及び上記周知技術から当業者が予測できる範囲のものであり、格別のものではない。
　したがって、本願補正発明１は、引用例発明及び上記周知技術に基づいて、当業者が容易に発明をすることができたものであるから、特許法第２９条第２項の規定により特許出願の際に独立して特許を受けることができない。
　
エ　むすび
　以上のとおり、本件補正は、平成１５年法律第４７号附則第２条第７項の規定によりなお従前の例によるものとされる同法による改正前の特許法第１７条の２第５項において準用する同法第１２６条第４項の規定に違反するものであり、特許法第１５９条第１項で読み替えて準用する同法第５３条第１項の規定により却下すべきものである。
　
３．本願発明について
（１）本願発明
　平成１５年４月１４日付けの手続補正は上記のとおり却下したので、本願の請求項１、２，３，４，５及び６に係る発明（以下それぞれ、「本願発明１」，「本願発明２」，「本願発明３」，「本願発明４」，「本願発明５」及び「本願発明６」という。）は、平成１５年１月１０日付け手続補正書により補正された明細書の特許請求の範囲の請求項１、２，３，４，５及び６に記載された次のとおりのものである。
「【請求項１】
　外面および内面を有するフェースプレートと、上記フェースプレートに接合されているとともにネックを有するファンネルと、を備えた外囲器と、
　上記フェースプレートの内面に設けられているとともに、所定のパターンに配置された３色の蛍光体層を有する蛍光体スクリーンと、
　上記ネック内に設けられ、上記蛍光体スクリーンに電子ビームを照射して発光させる電子銃と、
　上記フェースプレートの内面と蛍光体スクリーンとの間に設けられたカラーフィルタ層であって、上記蛍光体スクリーンの少なくとも１色の蛍光体層にそれぞれ対向して配置されているとともに平均粒径が０．０００１〜０．０７μｍの顔料で形成され、上記１色の蛍光体層からの発光の内、最大発光スペクトル波長の±２０ｎｍの範囲の波長を有する光に対する透過率が、波長４００〜６５０ｎｍの光で上記範囲以外の波長の光に対する透過率に比較して高いカラーフィルタを備えているカラーフィルタ層と、
　上記フェースプレートの外面上にカラーフィルタ層と対向して設けられ、上記１色の蛍光体層の最大発光スペクトル波長の±２０ｎｍの範囲以外の所定波長帯域に最大吸収を有し、上記カラーフィルタの光吸収性を補完する外面フィルタと、を備えたことを特徴とするカラー陰極線管。
　【請求項２】
　外面および内面を有するフェースプレートと、上記フェースプレートに接合されているとともにネックを有するファンネルと、を備えた外囲器と、
　上記フェースプレートの内面に設けられているとともに、所定のパターンに配置された赤、緑、青の３色の蛍光体層を有する蛍光体スクリーンと、
　上記ネック内に設けられ、上記蛍光体スクリーンに電子ビームを照射して発光させる電子銃と、
　上記フェースプレートの内面と蛍光体スクリーンとの間に設けられているとともに、上記蛍光体スクリーンの３色の蛍光体層にそれぞれ対向して配置され各色の蛍光体層に対応した色の３色のフィルタを有するカラーフィルタ層であって、各色のフィルタは、平均粒径が０．０００１〜０．０７μｍの顔料で形成され対応する色の蛍光体層からの発光の内、最大発光スペクトル波長の±２０ｎｍの範囲の波長の光に対する透過率が、波長４００ないし６５０ｎｍの光で上記範囲以外の波長の光に対する透過率に比較して高く形成されているカラーフィルタ層と、
　上記フェースプレートの外面上に上記カラーフィルタ層と対向して設けられ、上記３色の蛍光体層の最大発光スペクトル波長の±２０ｎｍの範囲以外の所定波長帯域に最大吸収を有し、上記カラーフィルタの光吸収性を補完する各色共通の外面フィルタと、を備えていることを特徴とするカラー陰極線管。
　【請求項３】
　上記カラーフィルタは、波長４００ないし５００ｎｍ、または波長６００ないし７００ｎｍの波長の光に対して７０％以上の透過率を有し、波長５００ないし６００ｎｍの光に対して５ないし６５％の平均透過率を有していることを特徴とする請求項１に記載のカラー陰極線管。
　【請求項４】
　上記各色のカラーフィルタは、波長４００ないし５００ｎｍ、または波長６００ないし７００ｎｍの波長の光に対して７０％以上の透過率を有し、波長５００ないし６００ｎｍの光に対して５ないし６５％の平均透過率を有していることを特徴とする請求項２に記載のカラー陰極線管。
　【請求項５】
　上記蛍光体スクリーンは、赤の蛍光体層を含み、上記カラーフィルタは、赤の蛍光体層に対向して設けられ、波長６２７ｎｍ付近の光に対して７０％以上の透過率を有していることを特徴とする請求項１ないし４のいずれか１項に記載のカラー陰極線管。
　【請求項６】
　上記外面フィルタは、波長５７５ｎｍの付近に最大吸収を有し、この最大吸収の波長に対して５０〜９０％の透過率を有していることを特徴とする請求項１ないし５のいずれか１項に記載のカラー陰極線管。」
　
（２）引用例
　原査定の拒絶の理由に引用した引用例及びその記載事項は前記「２．（２）」に記載したとおりである。
　
（３）対比・判断
　本願発明２は、本願補正発明1から「顔料」の限定事項である「無機」を省き、「各色共通の外面フィルタ」の限定事項である「有機顔料あるいは染料により形成され」を省いたものである。
　また、本願発明１は、本願補正発明1から「蛍光体層」の限定事項である「赤、青、緑」を省き、「カラーフィルタ層」の限定事項である「３色の蛍光体層にそれぞれ対向して配置され各色の蛍光体層に対応した色の３色のフィルタ」を省き、「顔料」の限定事項である「無機」を省き、「外面フィルタ」の限定事項である「有機顔料あるいは染料により形成され」、「各色共通の」を省いたものである。
　そうすると、本願発明１及び２の発明特定事項を全て含み、さらに他の事項を付加したものに相当する本願補正発明１が、前記２．（２）ウに記載したとおり、引用例発明及び上記周知技術に基づいて、当業者が容易に発明をすることができたものであるから、本願発明１及び２も、同様の理由により、引用例発明及び上記周知技術に基づいて、当業者が容易に発明をすることができたものである。
　
４．むすび
　以上のとおり、本願発明１及び２は、引用例発明及び上記周知技術に基づいて、当業者が容易に発明をすることができたものであるから、特許法第２９条第２項の規定により特許を受けることができず、本願発明３，４，５及び６について検討するまでもなく、本件出願は、拒絶されるべきものである。
　よって、結論のとおり審決する。